(57)【特許請求の範囲】
【請求項１】
装置フロントパネルに形成された開口を介し、ディスクを着脱する着脱位置と該ディスクを装置内に収納する収納位置との間でトレイを移動可能に支持し、該ディスクを再生するディスク再生メカニズムを備えるディスク再生装置において、
前記ディスク再生メカニズムを前記装置に対して弾性支持する弾性支持手段と、
前記トレイの前面に接離自在に配置されるトレイパネルと、
当該トレイパネルを前記トレイの前面に近接する方向に付勢する付勢手段と、
前記トレイが前記着脱位置にある時、前記トレイパネルを前記トレイに対して位置決めする第１の位置決め手段と、
前記トレイが前記収納位置に持ち来された時、前記第１の位置決め手段による位置決めを前記付勢手段に抗して解除し、また前記トレイパネルを前記トレイと非接触になる位置に位置決めする第２の位置決め手段とを有し、
前記第２の位置決め手段は、前記開口の縁部に形成された傾斜面と、当該傾斜面に係合すべく前記トレイパネルの背面縁部に形成された傾斜面であることを特徴とする
ディスク再生装置。
【請求項２】
前記ディスク再生装置は、更に前記トレイの前面に着脱自在なトレイホルダを有し、
前記付勢手段は、当該トレイホルダと前記トレイパネルとの間に配置され、前記トレイホルダが前記トレイに装着されることにより、前記トレイパネルを前記トレイの前面に近接する方向に付勢し、
前記第１の位置決め手段は、前記トレイホルダの前面側に形成されたけ傾斜面を持つ凸部と、前記トレイパネルの背面側に形成された傾斜面をもつ凹部であることを特徴とする請求項１に記載のディスク再生装置。
【発明の詳細な説明】
【０００１】
【発明の属する技術分野】
本発明は、ＤＶＤ−ＲＷ（DVD Re-recordable）やＣＤ−ＲＷ等のディスクを再生するディスク再生装置に関する。
【０００２】
【従来の技術】
ＤＶＤ−ＲＷ等のディスクを記録・再生するディスク記録再生装置は、ディスクを装置内のターンテーブル上に載置する際に樹脂成形トレイを用いる形態のものがある。ディスク記録再生装置は、トレイに乗せられたディスクをスピンドルモータによって回転駆動されるターンテーブルまで搬送し、ターンテーブル上にディスクを載置する。ディスク記録再生装置は、ディスクがターンテーブル上に載置されたことを検出すると、ターンテーブルを高速回転させ、また、ディスク上の情報トラックに情報読取用光ビームが追従するようにトラッキング制御を行うと共に、情報トラックに正確にビームスポットを形成するようにフォーカス制御を行い、確実に情報の記録・再生を行う。
【０００３】
ディスク記録再生装置のトレイは、装置フロントパネルに形成された開口を介し、ディスクを着脱する着脱位置と該ディスクを装置内に収納する収納位置との間を移動可能に構成されている。近年、ディスク記録再生装置は、ディスクの高密度記録・再生が進んでいる。これに伴い、ディスク記録再生装置は、ディスクの高速回転によって発生する風切り音がフロントパネルとトレイの隙間から外部に漏れ出す等の問題が新たに発生している。
【０００４】
この問題を解決するため実開平３−６１６９１号公報においてディスクの高速回転によって発生する風切り音を防止する方法が提案されている。実開平３−６１６９１号公報によれば、ディスク記録再生装置１は、図１０に示すようにフロントパネル２に開口部３を設け、該開口部３を介してトレイ４を、ディスクが着脱される着脱位置とディスクが装置内に収納される収納位置（図示位置）との間で移動可能に支持されている。係るディスク記録再生装置１は、トレイ４の前面にトレイパネル５を設けている。トレイパネル５は、その背面側に突出部６を備え、係る突出部６がトレイ４に設けた挿入孔８に挿入され、バネ７が装着されることによってトレイ４に対して接近する方向に付勢されている。
【０００５】
ディスク記録再生装置１のトレイ４は、着脱位置にある場合は、バネ７によってトレイパネル５と密着した状態に配置されるが、収納位置にある場合は、トレイパネル５とフロントパネル２が接触することでトレイパネル５から離れた状態に支持される。従って、ディスク記録再生装置１は、フロントパネル２の開口部３をトレイパネル５によって閉鎖し、装置内部に発生したディスクの風切り音等による騒音が開口部３から漏出するのを防止することができる。
【０００６】
【発明が解決しようとする課題】
一方、ディスク記録再生装置は、外部から加えられる衝撃によるトラッキング外れを防止するための振動対策が非常に重要である。しかし、上述したディスク記録再生装置１は、常にトレイパネル５の突出部６がトレイ４に形成された挿入孔８に接触した状態にある。従って、トレイ４が収納位置にある時、トレイパネル５に外部から衝撃が加えられると、その振動が突出部６を介してトレイ４に直接伝達され、強いてはディスクや光学ヘッドに伝わり、光ビームのトラッキング外れを引き起こす問題があった。
【０００７】
本発明は、上記課題に鑑み成されたものであり、ディスクの高速回転によって発生する風切り音等の騒音を防止すると共に、トレイパネルに外部から衝撃が加えられてもその衝撃をディスクや光学ヘッドに伝わらないように構成したディスク再生装置を提供することにある。
【０００８】
【課題を解決するための手段】
上記課題を解決するため、請求項１に記載の発明に係るディスク再生装置は、装置フロントパネルに形成された開口を介し、ディスクを着脱する着脱位置と該ディスクを装置内に収納する収納位置との間でトレイを移動可能に支持し、該ディスクを再生するディスク再生メカニズムを備えるディスク再生装置において、ディスク再生メカニズムを装置に対して弾性支持する弾性支持手段と、トレイの前面に接離自在に配置されるトレイパネルと、当該トレイパネルをトレイの前面に近接する方向に付勢する付勢手段と、トレイが着脱位置にある時、トレイパネルをトレイに対して位置決めする第１の位置決め手段と、トレイが収納位置に持ち来された時、第１の位置決め手段による位置決めを付勢手段に抗して解除し、またトレイパネルをトレイと非接触になる位置に位置決めする第２の位置決め手段と、を有し、第２の位置決め手段は、開口の縁部に形成された傾斜面と、当該傾斜面に係合すべくトレイパネルの背面縁部に形成された傾斜面であることを特徴とする。
【０００９】
請求項２に記載の発明に係るディスク再生装置は、請求項１に記載のディスク再生装置において、トレイの前面に着脱自在なトレイホルダを有し、付勢手段は、当該トレイホルダとトレイパネルとの間に配置され、トレイホルダがトレイに装着されることにより、トレイパネルをトレイの前面に近接する方向に付勢する。更に、第１の位置決め手段は、トレイホルダの前面側に形成されたけ傾斜面を持つ凸部と、トレイパネルの背面側に形成された傾斜面をもつ凹部であることを特徴とする。
【００１２】
【発明の実施の形態】
次に、本発明の第１実施形態によるディスク記録再生装置１００について図面を参照しつつ説明する。尚、本実施形態は、ＤＶＤ−ＲＷやＣＤ−ＲＷ等の記録可能なディスク１０を記録・再生するディスク記録再生装置１００について説明するが、ＤＶＤ−ＶｉｄｅｏやＣＤ−ＤＡ等のディスクに記録されている情報を再生するディスク再生装置にも適用することが可能である。以下、ディスク記録再生装置１００の全体の構成を図１及び図２を用いて説明する。尚、図１はディスク記録再生装置１００の全体を示す展開斜視図であり、図２はディスク記録再生装置１００の要部側面図である。
【００１３】
ディスク記録再生装置１００は、ディスク１０を装置内に収納したり、ディスク１０を装置内から取り出す搬送作業をトレイ４０により行っている。ディスク記録再生装置１００は、ディスク１０に対して情報の記録・再生を行う光学部品や、ディスク１０を回転駆動したり、トレイ４０を搬入・搬出する回転機構等で構成されるディスク記録再生メカニズム１２を装置１１内に設けている。係るディスク記録再生メカニズム１２は、ターンテーブル、光学ヘッド、クランパ、トレイ、トレイ駆動機構等から構成され、弾性支持手段である４つのダンパ１３によりシャーシ１１上に弾性支持されている。尚、図面上、装置左側の２つのダンパ１３は隠れて見えない。
【００１４】
ディスク記録再生装置１００は、フロントパネル５０にトレイ４０を搬入・搬出する開口５１を設け、その開口５１の内周縁部に後述する傾斜面５２を設けている。ディスク記録再生装置１００のトレイ４０は、その前面にトレイパネル２０とトレイホルダ３０が着脱自在に配置され、フロントパネル５０の開口５１を介し、ディスク１０を着脱する着脱位置とディスク１０を装置内に収納する収納位置との間で移動するよう、ディスク記録再生メカニズム１２上に支持されている。ディスク記録再生装置１００のトレイパネル２０は、トレイ４０が収納位置にある時、フロントパネル５０の開口５１を覆うように配置されると共に、トレイホルダ３０を含むトレイ４０から離間した状態で支持するように構成されている。
【００１５】
ディスク記録再生装置１００は、トレイパネル２０に外部から衝撃が与えられた場合でも、トレイ４０を介してディスク記録再生メカニズム１２に衝撃が伝達されないよう、トレイ４０が収納位置にある時、トレイパネル２０がトレイ４０から離間した状態で支持されるように構成されている。以下、これらの構造を図３乃至図５を用いて詳細に説明する。
【００１６】
図３は着脱位置におけるトレイ４０の前面に配置されたトレイパネル２０とトレイホルダ３０の位置関係を示す上面図であり、図４はその要部展開斜視図であり、図５はトレイ４０が着脱位置にある時のディスク記録再生装置１００の上面図である。
【００１７】
トレイパネル２０は、図３および図４に示すようにその背面側に凹部２１と保持板２２を形成している。この凹部２１は、すり鉢状に窪んた傾斜面２１ａ（図７参照）が形成され、後述するトレイホルダ３０に対する第１の位置決め手段の一方を担っている。一方、保持板２２は、中央に矩形孔２３を形成した板状の突出板であり、トレイパネル２０の背面と対向する矩形孔２３の内側に後述するスプリング２６を保持する突起２４を形成している。また、トレイパネル２０は、その背面側の縁である背面縁部に、フロントパネル５０に形成された開口５１の傾斜面５２と係合する傾斜面２５を形成しており、この傾斜面２５は傾斜面５２と共に、第２の位置決め手段を担っている。
【００１８】
次に、トレイホルダ３０は、その前面側にトレイパネル２０の凹部２１と係合する傾斜面３１ａで形成された円錐状の凸部３１を設け、トレイパネル２０に対する第１の位置決め手段の他方を担っている。また、トレイホルダ３０は、トレイパネル２０の保持板２２が貫通する挿入孔３２が設けられている。また、トレイホルダ３０は、挿入孔３２を設けた背面側にスプリング２６を保持する円環状の突出壁３３を形成している。係る円環状の突出壁３３は、トレイパネル２０の保持板２２を貫通させるため中央が取除かれて一対の扇状に形成されている。
【００１９】
また、トレイホルダ３０は、背面側に後述するトレイ４０に固定するための固定板３４が形成されている。この固定板３４は、内側をＵ字状に切り欠くことで、その中央にロックアーム３５を形成しており、該ロックアーム３５の先端下面には傾斜面３６（図４）が形成されている。
【００２０】
一方、トレイ４０は、その前面に開放口４１と固定孔４２が形成されている。開放口４１は、トレイパネル２０の保持板２２と対向する位置に形成され、該保持板２２及びスプリング２６の外形よりも大きく形成されている。トレイ４０の固定孔４２は、トレイホルダ３０の固定板３４と対向する位置に形成され、ロックアーム３５の上方への弾性変形を挿入可能にするため、その中央に逃げ溝４３が設けられている。
【００２１】
次に、トレイパネル２０とトレイホルダ３０の組立て及びトレイ４０への装着手順を説明する。
【００２２】
先ず、トレイパネル２０の保持板２２をトレイホルダ３０の挿入孔３２に挿入する。すると、トレイホルダ３０の凸部３１がトレイパネル２０に形成された凹部２１に挿入され、その傾斜面２１ａと凸部３１の傾斜面３１ａとの接触により、トレイパネル２０はその保持板２２が挿入孔３２に係合しない位置に位置決めされる。この状態で保持板２２の突起２４と円環状の突出壁３３との間にスプリング２６を挿入し、トレイパネル２０とトレイホルダ３０を一体化する。
【００２３】
続いて、スプリング２６が装着された保持板２２をトレイ４０の開放口４１に挿入すると共に、固定板３４をトレイ４０の固定孔４２に挿入し、トレイパネル２０を付勢支持したトレイホルダ３０をトレイ４０の前面に装着する。
【００２４】
以上のようにして、トレイ４０は、その前面にトレイパネル２０とトレイホルダ３０が装着され、フロントパネル５０の開口５１を介してディスク１０を着脱する着脱位置と、ディスク１０を装置内に収納する収納位置との間で移動可能に支持される。
【００２５】
図５は、着脱位置にある時のトレイパネル２０、トレイホルダ３０及びトレイ４０の位置関係を示す要部断面図である。図６は、図５のＡ−Ａ線断面図である。図５及び図６に示すようにトレイパネル２０は着脱位置にある時、保持板２２に形成された突起２４とトレイホルダ３０に形成された円環状の突出壁３３との間に装着されたスプリング２６により、トレイホルダ３０に対して図中矢印で示す方向の付勢力を受け、凹部２１がトレイホルダ３０の凸部３１に密着する位置に配置される。
【００２６】
次に、トレイ４０が収納位置にある状態について図７及び図８を用いて説明する。尚、図８は、図７のＡ−Ａ線断面図である。
【００２７】
ディスク記録再生装置１００は、使用者によりディスク１０が装着され、例えば図示しない「ＰＬＡＹ」ボタンが押下されると、ディスク記録再生メカニズム１２上のトレイ駆動機構により、トレイ４０を上述した装着位置から装置内の収納位置まで移送する。トレイ４０は、この位置まで移送する過程で、先ずトレイパネル２０の傾斜面２５がフロントパネル５０の傾斜面５２に係合する。従って、トレイパネル２０は、以後第２の位置決め手段であるトレイパネル２０の傾斜面２５とフロントパネル５０の傾斜面５２とによりその保持板２２が挿入孔３２に係合しない位置に正確に位置決めされる。
【００２８】
トレイ４０は、上述したようにトレイホルダ３０に対してロックアーム３５で固定されている。また、トレイパネル２０は、トレイホルダ３０に対してスプリング２６で付勢支持されている。従って、トレイ４０は、トレイパネル２０の傾斜面２５とフロントパネル５０の傾斜面５２が係合した位置よりも更に装置内側に移動して収納位置に持ち来されると、トレイホルダ３０の凸部３１によるトレイパネル２０の位置決めを解除し、トレイパネル２０と非接触状態となる。
【００２９】
上述したように本実施形態のディスク記録再生装置１００によれば、トレイ４０が収納位置にある時、つまりディスク１０に対して情報の記録動作、或は情報の再生動作にある時、トレイ４０に対してトレイパネル２０を非接触状態に保持するので、トレイパネル２０に外部から衝撃が加えられた場合でも、トレイ４０を介してディスク記録再生メカニズム１２に衝撃が伝達されることがない。
【００３０】
また、ディスク記録再生装置１００は、トレイ４０駆動機構を含むディスク記録再生メカニズム１２をシャーシ１１に対して弾性支持手段であるダンパ１３で弾性支持しているので、シャーシ１１に外部から衝撃が加えられた場合でも、ディスク記録再生メカニズム１２に衝撃が伝達されることがない。従って、本実施形態のディスク記録再生装置１００は、安定した情報の記録・再生が可能となる。
【００３１】
また、ディスク記録再生装置１００は、トレイ４０が収納位置にある時、トレイパネル２０の背面縁部に形成された傾斜面２５と、フロントパネル５０の開口５１の内周縁部に形成された傾斜面５２を密着配置するように構成したので、ディスク１０が高速回転されることによって発生する風切り音等の騒音が挿入孔３２を介して外部に漏出されることがない。
【００３２】
次に、本発明の第２実施形態によるディスク記録再生装置１１０について図９を用いて説明する。第２実施形態が第１実施形態と異なる点は、スプリング２８の装着構造の差であり、その他は第１実施形態と同様である。ディスク記録再生装置１１０は、トレイパネル２０の背面側に保持板２２に代えてＬ状の保持部材２７を形成すると共に、トレイホルダ３０の背面側に新たにＬ状の保持部材３７を形成し、係る保持部材２７と保持部材３７との間にスプリング２８を配置している。このように構成することで、ディスク記録再生装置１１０のトレイパネル２０は、トレイホルダ３０側に引っ張る方向の付勢力が働き第１実施形態のスプリング２６と同様の効果を発揮することができる。
【００３３】
【発明の効果】
本発明によれば、ディスクの高速回転によって発生する風切り音等の騒音を防止すると共に、トレイパネルに外部から衝撃が加えられた場合でも、その衝撃がトレイを介してディスクや光学ヘッドに伝達するのを防止できる。
【図面の簡単な説明】
【図１】本発明の第１実施形態によるディスク記録再生装置１００の展開斜視図。
【図２】ディスク記録再生装置１００の要部側面図。
【図３】トレイ４０に対するトレイパネル２０とトレイホルダ３０の位置関係を示す図。
【図４】トレイパネル２０とトレイホルダ３０の展開斜視図。
【図５】トレイ４０が着脱位置にある時のトレイパネル２０、トレイホルダ３０及びトレイ４０の位置関係を示す要部断面図。
【図６】図５におけるＡ−Ａ線断面図。
【図７】トレイ４０が収納位置にある時のトレイパネル２０、トレイホルダ３０及びトレイ４０の位置関係を示す要部断面図。
【図８】図７におけるＡ−Ａ線断面図。
【図９】第２実施形態によるディスク記録再生装置１１０の要部断面図。
【図１０】従来例におけるディスク記録再生装置１の要部断面図。
【符号の説明】
１０・・・ディスク
１１・・・シャーシ
１２・・・ディスク記録再生メカニズム
１３・・・ダンパ
２０・・・トレイパネル
２１・・・凹部（第１の位置決め手段）
２５・・・傾斜面（第２の位置決め手段）
２６、２８・・・スプリング（付勢手段）
２７、３７・・保持部材
３０・・・トレイホルダ
３１・・・凸部（第１の位置決め手段）
３６・・・傾斜面
４０・・・トレイ
４３・・・逃げ溝
５０・・・フロントパネル
５１・・・開口
５２・・・傾斜面（第２の位置決め手段）
１００、１１０・・ディスク記録再生装置
【図１】
0004185244.tif 000002
【図２】
0004185244.tif 000003
【図３】
0004185244.tif 000004
【図４】
0004185244.tif 000005
【図５】
0004185244.tif 000006
【図６】
0004185244.tif 000007
【図７】
0004185244.tif 000008
【図８】
0004185244.tif 000009
【図９】
0004185244.tif 000010
【図１０】
0004185244.tif 000011